(57)【特許請求の範囲】
【請求項１】
入力された画像データに基づき出力画像を形成する画像形成部を備える画像形成装置において、
前記入力された画像データから特定の要件を有する特定画像データを判定する判定部と、
前記判定部による判定結果に基づいて、前記入力された画像データから前記特定画像データを抽出する抽出部と、
前記入力された画像データから前記特定画像データを除いた第１の画像データを編集する機能と前記特定画像データのみの第２の画像データを編集する機能とを備える画像データ編集部と、
前記画像データ編集部により編集された前記第１の画像データに基づく出力画像と前記第２の画像データに基づく出力画像の出力方式を設定する出力方式設定部と、
を有する暗記シート作成部を備え、
前記出力方式設定部は、両面印刷により、
記録媒体の表面には、入力時の前記第１の画像データの位置情報に基づく位置に、前記第１の画像データに基づく出力画像を配置し、
前記記録媒体の裏面には、入力時の前記第２の画像データの位置情報に基づく位置を左右反転させた位置に、前記第２の画像データを左右反転させた画像データに基づく出力画像を配置して出力することを特徴とする画像形成装置。
【請求項２】
入力された画像データに基づき出力画像を形成する画像形成部を備える画像形成装置において、
前記入力された画像データから特定の要件を有する特定画像データを判定する判定部と、
前記判定部による判定結果に基づいて、前記入力された画像データから前記特定画像データを抽出する抽出部と、
前記入力された画像データから前記特定画像データを除いた第１の画像データを編集する機能と前記特定画像データのみの第２の画像データを編集する機能とを備える画像データ編集部と、
前記画像データ編集部により編集された前記第１の画像データに基づく出力画像と前記第２の画像データに基づく出力画像の出力方式を設定する出力方式設定部と、
を有する暗記シート作成部を備え、
前記出力方式設定部は、集約印刷により、
同一の記録媒体上に、前記第１の画像データに基づく出力画像と、前記第２の画像データに基づく出力画像とを並べて配置して出力することを特徴とする画像形成装置。
【請求項３】
前記集約印刷は、
前記記録媒体の画像形成領域を左右に分割した２区画の画像形成領域として、
一方の画像形成領域には、入力時の前記第１の画像データの位置情報に基づく位置に、前記第１の画像データに基づく出力画像を配置し、
他方の画像形成領域には、入力時の前記第２の画像データの位置情報に基づく位置に、
前記第２の画像データに基づく出力画像を配置して出力することを特徴とする請求項２に記載の画像形成装置。
【請求項４】
前記集約印刷は、
前記記録媒体の画像形成領域を左右に分割した２区画の画像形成領域として、
一方の画像形成領域には、入力時の前記第１の画像データの位置情報に基づく位置に、前記第１の画像データに基づく出力画像を配置し、
他方の画像形成領域には、入力時の前記第２の画像データの位置情報に基づく位置を左右反転させた位置に、前記第２の画像データを左右反転させた画像データに基づく出力画像を配置して出力することを特徴とする請求項２に記載の画像形成装置。
【請求項５】
前記特定の要件は、少なくとも、カラー文字、括弧付き文章、下線付き、太文字、特定のフォント、カラーマーキング領域のうちの何れか１つの要件を含むことを特徴とする請求項１から４うちの何れか一項に記載の画像形成装置。
【請求項６】
前記特定の要件は、選択的に設定可能であることを特徴とする請求項５に記載の画像形成装置。
【請求項７】
前記画像形成部は、記録媒体の厚さ、色合いに応じて、前記第２の画像データに基づく出力画像の濃度、文字の太さを調整する機能を備えることを特徴とする請求項１から６のうちの何れか一項に記載の画像形成装置。
【請求項８】
前記画像データ編集部で編集された前記第１の画像データと前記第２の画像データを保存する記憶部を備え、
前記記憶部には、前記出力方式設定部において設定された出力方式に対応した前記第１の画像データと前記第２の画像データとを保存することを特徴とする請求項１から７のうちの何れか一項に記載の画像形成装置。
【発明の詳細な説明】
【技術分野】
【０００１】
本発明は、画像形成装置に係り、特に、入力された画像データに基づき出力画像を形成する画像形成装置に関する。
【背景技術】
【０００２】
従来、画像形成装置において、カラー情報とモノクロ情報とが混在する原稿をコピーする場合に、例えば、カラー情報が重要な事項であっても、通常のモノクロコピーを行うとカラー情報がグレースケールでプリントされるため、カラー情報が目立たなかった。
【０００３】
また、学生が暗記学習を行うために参考書やノートのコピーを取る際には、重要な事項がカラーで記載されている場合、従来の画像形成装置により出力されたモノクロ画像では、重要な事項を覚えるためにカラーシート等を被せることで文字を消す暗記シートの様な扱いができなかった。
【０００４】
そこで、従来技術として、赤色シートと暗記用シートを用いた学習用具であって、暗記シートにおいて重要な事項や暗記したい文字を赤色にして、暗記シートに赤色シートを重ねて透して見ると赤色の文字が見えなくなる作用を利用して暗記学習を行うようにしたものが知られている。（特許文献１を参照）。
【先行技術文献】
【特許文献】
【０００５】
【特許文献１】特開２００７−３２２９４３号公報
【発明の概要】
【発明が解決しようとする課題】
【０００６】
しかしながら、画像形成装置を用いて従来技術のような暗記シートを作成するためには、カラー印刷が必要であり、しかも印刷されたカラー画像に対応したカラーシートを必要とするため、暗記シートを用いた学習用具を実現するためには、コストが増大するという問題があった。
【０００７】
本発明は、上記従来の問題点に鑑みてなされたものであって、簡単な構成で、最低限のコストで暗記シートとして機能する印刷物を提供できる画像形成装置を実現することを目的とする。
【課題を解決するための手段】
【０００８】
上述した課題を解決するための本発明に係る画像形成装置は、次の通りである。
【０００９】
本発明の画像形成装置は、入力された画像データに基づき出力画像を形成する画像形成部を備える画像形成装置において、前記入力された画像データから特定の要件を有する特定画像データを判定する判定部と、前記判定部による判定結果に基づいて、前記入力された画像データから前記特定画像データを抽出する抽出部と、前記入力された画像データから前記特定画像データを除いた第１の画像データを編集する機能と、前記特定画像データのみの第２の画像データを編集する機能とを備える画像データ編集部と、前記画像データ編集部により編集された前記第１の画像データに基づく出力画像と前記第２の画像データに基づく出力画像の出力方式を設定する出力方式設定部と、を有する暗記シート作成部を備え、前記出力方式設定部は、前記第１の画像データに基づく出力画像と前記第２の画像データに基づく出力画像とを記録媒体の異なる画像形成領域に出力することを設定することを特徴とするものである。
【００１０】
また、本発明は、前記特定の要件として、少なくとも、カラー文字、括弧付き文章、下線付き、太文字、特定のフォント、カラーマーキング領域のうちの何れか１つの要件を含むことが好ましい。
【００１１】
また、本発明は、前記特定の要件を選択的に設定できることが好ましい。
例えば、画像形成装置の使用者が、カラー文字、括弧付き文章、下線付き、太文字、特定のフォント、カラーマーキング領域等を選択的に特定の要件として設定できるようにする。
【００１２】
また、本発明は、前記出力方式設定部により、両面印刷を設定して、記録媒体の表面には、入力時の前記第１の画像データの位置情報に基づく位置に、前記第１の画像データに基づく出力画像を配置し、前記記録媒体の裏面には、入力時の前記第２の画像データの位置情報に基づく位置を左右反転させた位置（表面の位置と一致する裏面の位置）に、前記第２の画像データを左右反転させた画像データに基づく出力画像（鏡文字変換による出力画像）を配置して出力することが好ましい。
【００１３】
また、本発明は、前記出力方式設定部により、１枚目の記録媒体には、入力時の前記第１の画像データの位置情報に基づく位置に、前記第１の画像データに基づく出力画像を配置し、２枚目の記録媒体には、入力時の前記第２の画像データの位置情報に基づく位置に、前記第２の画像データに基づく出力画像を配置して出力することが好ましい。
【００１４】
また、本発明は、前記出力方式設定部により、集約印刷を設定して、同一の記録媒体上に、前記第１の画像データに基づく出力画像と、前記第２の画像データに基づく出力画像とを並べて配置して出力することが好ましい。
【００１５】
また、本発明は、前記集約印刷では、前記記録媒体の画像形成領域を左右に分割した２区画の画像形成領域として、一方の画像形成領域には、入力時の前記第１の画像データの位置情報に基づく位置に、前記第１の画像データに基づく出力画像を配置し、他方の画像形成領域には、入力時の前記第２の画像データの位置情報に基づく位置に、前記第２の画像データに基づく出力画像を配置して出力することが好ましい。
【００１６】
また、本発明は、前記集約印刷では、前記記録媒体の画像形成領域を左右に分割した２区画の画像形成領域として、一方の画像形成領域には、入力時の前記第１の画像データの位置情報に基づく位置に、前記第１の画像データに基づく出力画像を配置し、他方の画像形成領域には、入力時の前記第２の画像データの位置情報に基づく位置を左右反転させた位置に、前記第２の画像データを左右反転させた画像データに基づく出力画像（鏡文字変換による出力画像）を配置して出力することが好ましい。
【００１７】
本発明において、前記記録媒体の左右の画像形成領域を折り返して重ねることで、第１の画像データの出力画像の裏側に第２画像データの出力画像を重ね合わせることができる。
【００１８】
また、本発明は、前記入力された画像データにおいて、図形データを有する場合は、前記図形データはモノクロの出力画像とすることが好ましい。
【００１９】
また、本発明は、前記画像形成部の構成として、記録媒体の厚さ、色合いに応じて、前記第２の画像データに基づく出力画像の濃度、文字の太さを調整する機能を備えることが好ましい。
【００２０】
また、本発明は、前記画像データ編集部で編集された前記第１の画像データと前記第２の画像データを保存する記憶部を備え、前記記憶部には、前記出力方式設定部において設定された出力方式に対応した前記第１の画像データと前記第２の画像データとを保存することが好ましい。
【発明の効果】
【００２１】
本発明の画像形成装置によれば、入力された画像データに基づき出力画像を形成する画像形成部を備える画像形成装置において、前記入力された画像データから特定の要件を有する特定画像データを判定する判定部と、前記判定部による判定結果に基づいて、前記入力された画像データから前記特定画像データを抽出する抽出部と、前記入力された画像データから前記特定画像データを除いた第１の画像データを編集する機能と、前記特定画像データのみの第２の画像データを編集する機能とを備える画像データ編集部と、前記画像データ編集部により編集された前記第１の画像データに基づく出力画像と前記第２の画像データに基づく出力画像の出力方式を設定する出力方式設定部と、を有する暗記シート作成部を備え、前記出力方式設定部により、前記第１の画像データに基づく出力画像と前記第２の画像データに基づく出力画像とを記録媒体の異なる画像形成領域に出力することを設定することで、簡単な構成で、モノクロコピーだけで低コストで暗記シートとして機能する印刷物を提供できる。
【図面の簡単な説明】
【００２２】
【図１】本発明の第１実施形態に係る画像形成装置の制御部の構成を説明するブロック図である。
【図２】第１実施形態の読み取り原稿の一例を示す説明図である。
【図３】前記制御部の暗記シート作成部を構成する出力設定部により設定されたモノクロ文字の出力状態（モノクロ）を示す説明図である。
【図４】前記出力設定部により設定されたカラー文字の出力状態（モノクロ）を示す説明図である。
【図５】前記画像形成装置により暗記シートを作成する処理工程を示すフローチャートである。
【図６】本発明の第２実施形態に係る画像形成装置の制御部の構成を説明するブロック図である。
【図７】前記制御部の暗記シート作成部を構成する出力設定部により設定されたモノクロ文字の出力状態（モノクロ）を示す説明図である。
【図８】前記出力設定部により設定されたカラー文字の出力状態（モノクロ）を示す説明図である。
【図９】本発明の第３実施形態に係る画像形成装置の制御部の構成を説明するブロック図である。
【図１０】前記制御部の暗記シート作成部を構成する出力設定部により設定された集約印刷（２ｉｎ１）で出力した状態（モノクロ）を示す説明図である。
【図１１】前記画像形成装置により出力された印刷物の変形例の一例を示す説明図である。
【図１２】本発明の第４実施形態に係る画像形成装置の構成を説明するブロック図である。
【図１３】前記画像形成装置により暗記シートを作成する処理工程を示すフローチャートである。
【発明を実施するための形態】
【００２３】
（第１実施形態）
以下、本発明の画像形成装置を実施するための形態について図面を参照して説明する。
図１は発明を実施する形態の一例であって、本発明の第１実施形態に係る画像形成装置の制御部の構成を説明するブロック図、図２は第１実施形態の読み取り原稿の一例を示す説明図、図３は前記制御部の暗記シート作成部を構成する出力設定部により設定されたモノクロ文字の出力状態（モノクロ）を示す説明図、図４は前記出力設定部により設定されたカラー文字の出力状態（モノクロ）を示す説明図である。
【００２４】
第１実施形態に係る画像形成装置１００は、図１に示すように、画像読み取り部１１、画像形成部１３、画像出力部１５、各部の動作を制御する制御部１６を備えて、入力された画像データに基づき出力画像を形成する画像形成装置において、制御部１６の構成として、入力された画像データから特定の要件を有する特定画像データを判定する判定部１７１と、判定部１７１による判定結果に基づいて、入力された画像データから特定画像データを抽出する抽出部１７２と、入力された画像データを編集する画像データ編集部１７３と、画像データ編集部１７３により編集された画像データに基づく出力画像の出力方式を設定する出力方式設定部１７４と、を有する暗記シート作成部１７を備えることを特徴としている。
【００２５】
第１実施形態において、画像読み取り部１１で読み取られる原稿Ｇ１は、図２に示すように、モノクロ文字（第１の画像データ）ｇ０１と破線部で囲まれたカラー文字（第２の画像データ）ｇ０２とが混在した原稿である。
【００２６】
判定部１７１は、文字の色を特定要件として、入力された画像データからカラー文字ｇ０２を特定画像データとして判定する。
【００２７】
抽出部１７２は、判定部１７１による判定結果に基づいて、読み込まれた原稿Ｇ１の画像データからカラー文字ｇ０２の画像データを抽出する。
【００２８】
画像データ編集部１７３は、モノクロ文字ｇ０１の画像データ（第１の画像データ）を編集する機能とカラー文字ｇ０２の画像データ（第２の画像データ）を編集する機能を備えている。
【００２９】
出力方式設定部１７４は、画像データ編集部１７３により編集されたモノクロ文字ｇ０１の画像データに基づく出力画像とカラー文字ｇ０２の画像データに基づく出力画像の出力方式を設定する。
【００３０】
第１実施形態では、出力方式設定部１７４は、両面印刷による出力方式により、記録シート（記録媒体）の表面には、入力時の第１の画像データの位置情報に基づく位置に、第１の画像データに基づく出力画像を配置し、記録シートの裏面には、入力時の第２の画像データの位置情報に基づく位置を左右反転させた位置（表面の位置と一致する裏面の位置）に、第２の画像データを左右反転させた画像データに基づく出力画像（鏡文字変換による出力画像）を配置して出力するように設定する機能（以下、「裏面反転機能」と称する。）７４１を備えている。
【００３１】
そして、出力方式設定部１７４は、図３に示すように、記録シートＰ１の表面Ｐ１ａには、入力時のモノクロ文字ｇ０１の画像データの位置情報に基づく位置に、モノクロ文字ｇ０１の画像データに基づく出力画像ｇ１１を配置し、図４に示すように、記録シートＰ１の裏面Ｐ１ｂには、入力時のカラー文字ｇ０２の画像データの位置情報に基づく位置を左右反転させた位置（表面の位置と一致する裏面の位置）に、カラー文字ｇ０２を左右反転させた画像データに基づく出力画像（鏡文字変換による出力画像）ｇ１２を配置して出力するように設定する。
【００３２】
次に、第１実施形態の画像形成装置１００により暗記シートを作成する工程についてフローチャートに沿って説明する。
図５は第１実施形態の画像形成装置により暗記シートを作成する処理工程を示すフローチャートである。
【００３３】
図５に示すように、画像形成装置１００により暗記シートを作成する場合は、まず、図示しない操作画面上で暗記シート作成機能を選択する（ステップＳ１）。そして、原稿のなかの重要文章として抽出する抽出条件（例えば、カラー、括弧付き、太文字、下線付き、特定のフォント等）を選択する（ステップＳ２）。
【００３４】
そして、原稿を読み込み、抽出部１７２において抽出条件により特定される対象文章とそれ以外の文章とを分けて抽出されて、判定部１７１において抽出された文章が重要文章であるか否かが判定される（ステップＳ３）。
【００３５】
ステップＳ３において、抽出された文章が重要文章ではないと判定された文章データは、記録シートの表面用のモノクロの画像データとしてデータ編集される（ステップＳ４）。
【００３６】
一方、ステップＳ３において、抽出された文章が重要文章であると判定された文章データは、記録シートの裏面用の画像データとして、モノクロの鏡文字の画像データに編集される（ステップＳ５）。
【００３７】
そして、出力方式設定部１７４により、両面印刷処理にて、表面には重要文章でない文章がモノクロ印刷で出力され、裏面には裏面反転機能７４１により重要文章がモノクロ印刷の鏡文字で出力される（ステップＳ６）。
【００３８】
このようにして、暗記シート作成機能により暗記シートとして機能する印刷物が出力される。すなわち、両面印刷された印刷物は、表面から見ると表面に印刷された文章しか確認できないが、明かりに透かしてみることで裏面に印刷された重要文章を表面側より見ることができる。
【００３９】
以上のように構成したので、第１実施形態の画像形成装置１００によれば、入力された画像データに基づき出力画像を形成する画像形成装置において、読み込まれた原稿Ｇ１の画像データから特定の要件を有する重要文章を判定する判定部１７１と、判定部１７１による判定結果に基づいて、重要文章の画像データを抽出する抽出部１７２と、読み込まれた画像データから重要文章の画像データを除いた画像データを編集する機能と重要文章の画像データのみを編集する機能とを備える画像データ編集部１７３と、画像データ編集部１７３により編集された重要文章の画像データを除いた画像データに基づく出力画像と重要文章の画像データに基づく出力画像の出力方式を設定する出力方式設定部１７４と、を有する暗記シート作成部１７を備え、出力方式設定部１７４により、両面印刷処理にて、表面には重要文章でない文章をモノクロ印刷で出力し、裏面には重要文章をモノクロ印刷の鏡文字で出力するように設定したので、簡単な構成で、モノクロコピーだけで低コストで暗記シートとして機能する印刷物を提供できる。
【００４０】
（第２実施形態）
次に、本発明の第２実施形態について説明する。
図６は本発明の第２実施形態に係る画像形成装置の制御部の構成を説明するブロック図、図７は前記制御部の暗記シート作成部を構成する出力設定部により設定されたモノクロ文字の出力状態（モノクロ）を示す説明図、図８は前記出力設定部により設定されたカラー文字の出力状態（モノクロ）を示す説明図である。
【００４１】
第２実施形態に係る画像形成装置２００は、図６に示すように、制御部２６において、暗記シート作成部２７を構成する出力方式設定部２７４の機能として、１枚目の記録シートには重要文章でない文章をモノクロ印刷で出力し、２枚目の記録シートには重要文章をモノクロ印刷で出力するように設定する機能（以下、「２枚重ね印刷機能」と称する。）７４２を備えることを特徴としている。
【００４２】
なお、第２実施形態の画像形成装置２００の構成は、第１実施形態の画像形成装置１００と同様な構成を有するものは同様な符号を付することで、第１実施形態の説明を参照することで説明を省略する。
【００４３】
出力方式設定部２７４は、図７に示すように、１枚目の記録シートＰ２１の表面Ｐ２１ａには、入力時のモノクロ文字ｇ０１の画像データの位置情報に基づく位置に、モノクロ文字ｇ０１の画像データに基づく出力画像ｇ２１を配置し、図８に示すように、２枚目の記録シートＰ２２の表面Ｐ２２ａには、入力時のカラー文字ｇ０２の画像データの位置情報に基づく位置に、カラー文字ｇ０２の画像データに基づく出力画像ｇ２２を配置して出力するように設定する。
【００４４】
このようにして、第２実施形態では、１枚目の記録シートＰ２１に原稿Ｇ１の画像データのモノクロ文字ｇ０１の画像データに基づく出力画像ｇ２１を形成して出力し、２枚目の記録シートＰ２２に原稿Ｇ１の画像データのカラー文字ｇ０２の画像データに基づく出力画像ｇ２２を形成して出力して、１枚目の記録シートＰ２１を２枚面の記録シートＰ２２の上に重ねて配置することで、１枚目の記録シートＰ２１の空白ｇ２３の位置に、１枚目の記録シートＰ２１を透して２枚面の記録シートＰ２２に印刷された重要文章の出力画像ｇ２２を見ることができる。
【００４５】
以上のよう構成したので、第２実施形態の画像形成装置２００によれば、出力方式設定部２７４に２枚重ね印刷機能７４２を備えることで、原稿Ｇ１の画像データを重要文章と重要文章以外の文章とを分けて２枚の記録シートＰ２１，Ｐ２２に印刷して重ね合わせて使用することで、簡単な構成で、暗記シートとして機能する印刷物を提供できる。
【００４６】
（第３実施形態）
次に、本発明の第３実施形態について説明する。
図９は本発明の第３実施形態に係る画像形成装置の制御部の構成を説明するブロック図、図１０は前記制御部の暗記シート作成部を構成する出力設定部により設定された集約印刷（２ｉｎ１）で出力した状態（モノクロ）を示す説明図、図１１は前記画像形成装置により出力された印刷物の変形例の一例を示す説明図である。
【００４７】
第３実施形態に係る画像形成装置３００は、図９に示すように、制御部３６において、暗記シート作成部３７を構成する出力方式設定部３７４の機能として、集約印刷により、記録シートの第１の画像形成領域に重要文章でない文章をモノクロ印刷で出力し、記録シートの第２の画像形成領域には重要文章をモノクロ印刷で出力するように設定する機能（以下、「集約印刷機能」と称する。）７４３を備えることを特徴としている。
【００４８】
なお、第３実施形態の画像形成装置３００の構成は、第１実施形態の画像形成装置１００と同様な構成を有するものは同様な符号を付することで、第１実施形態の説明を参照することで説明を省略する。
【００４９】
出力方式設定部３７４は、図１０に示すように、記録シートＰ３の表面Ｐ３ａを左右に分割した２区画の画像形成領域を構成し、第１の画像形成領域Ｐ３１には、入力時のモノクロ文字ｇ０１の画像データの位置情報に基づく位置に、モノクロ文字ｇ０１の画像データに基づく出力画像ｇ３１を配置し、第２の画像形成領域Ｐ３２には、入力時のカラー文字ｇ０２の画像データの位置情報に基づく位置に、カラー文字ｇ０２の画像データに基づく出力画像ｇ３２を配置して出力するように設定する。
【００５０】
このようにして、第３実施形態では、１枚の記録シートＰ３の表面Ｐ３ａを左右に分割した２区画の画像形成領域を構成して、第１の画像形成領域Ｐ３１には、入力時のモノクロ文字ｇ０１の画像データの位置情報に基づく位置に、モノクロ文字ｇ０１の画像データに基づく出力画像ｇ３１を配置し、第２の画像形成領域Ｐ３２には、入力時のカラー文字ｇ０２の画像データの位置情報に基づく位置に、カラー文字ｇ０２の画像データに基づく出力画像ｇ３２を配置して出力することで、１枚の記録シートＰ３の表面Ｐ３ａにモノクロ文字ｇ０１の画像データに基づく出力画像ｇ３１とカラー文字ｇ０２の画像データに基づく出力画像ｇ３２を並べて出力することができる。これにより、記録シートＰ３の第１の画像形成領域Ｐ３１の出力画像ｇ３１と第２の画像形成領域Ｐ３２の出力画像ｇ３２とを見比べて使用することで、記録シートＰ３を暗記シートとして機能させることができる。
【００５１】
以上のように構成したので、第３実施形態の画像形成装置３００によれば、出力方式設定部３７４に集約印刷機能７４３を備えることで、１枚の記録シートＰ３に原稿Ｇ１の画像データを重要文章と重要文章以外の文章とを左右に分けて印刷することができる。これにより、重要文章と重要文章以外の文章とを交互に見ることで、簡単な構成で、暗記シートとして機能する印刷物を提供できる。
【００５２】
なお、変形例として、出力方式設定部３７４の集約印刷機能７４３により、１枚の記録シートＰ３に原稿Ｇ１の画像データを重要文章と重要文章以外の文章とを第１の画像形成領域Ｐ３１と第２の画像形成領域Ｐ３２とに分けて印刷した印刷物を、図１１に示すように、記録シートＰ３の中心から第１の画像形成領域Ｐ３１と第２の画像形成領域Ｐ３２とに２枚の記録シートＰ３０１，Ｐ３０２に断裁することで、第２実施形態のように、２枚の記録シートを重ね合わせて使用するようにしてもよい。
【００５３】
（第４実施形態）
次に、本発明の第４実施形態について説明する。
図１２は本発明の第４実施形態に係る画像形成装置の構成を説明するブロック図、図１３は前記画像形成装置により暗記シートを作成する処理工程を示すフローチャートである。
【００５４】
第４実施形態に係る画像形成装置４００は、図１２に示すように、画像形成部１３に濃度調整機能１３１を備え、記録シートの厚さ、色合いに応じて、重要文章の画像データに基づく出力画像の濃度、文字の太さを調整可能とすることを特徴としている。
【００５５】
なお、第４実施形態の画像形成装置４００の構成は、第１実施形態の画像形成装置１００と同様な構成を有するものは同様な符号を付することで、第１実施形態の説明を参照することで説明を省略する。
【００５６】
画像形成装置４００により暗記シートを作成する場合は、図１３に示すように、まず、図示しない操作画面上で暗記シート作成機能を選択する（ステップＳ１０１）。そして、原稿のなかの重要文章として抽出する抽出条件（例えば、カラー、括弧付き、太文字、下線付き、特定のフォント等）を選択する（ステップＳ１０２）。
【００５７】
そして、原稿を読み込み、抽出部１７２において抽出条件により特定される対象文章とそれ以外の文章とを分けて抽出されて、判定部１７１において抽出された文章が重要文章であるか否かが判定される（ステップＳ１０３）。
【００５８】
ステップＳ１０３において、抽出された文章が重要文章ではないと判定された文章データは、記録シートの表面用のモノクロの画像データとしてデータ編集される（ステップＳ１０４）。
【００５９】
一方、ステップＳ１０３において、抽出された文章が重要文章であると判定された文章データは、記録シートの裏面用の画像データとして、モノクロの鏡文字の画像データに編集される（ステップＳ１０５）。
【００６０】
そして、画像形成部１３において、濃度調整機能１３１により記録シートの設定（厚さ、色合い）に応じて裏面に形成される出力画像の濃度、文字、線の太さが自動調整される（ステップＳ１０６）。
【００６１】
そして、出力方式設定部１７４により、両面印刷処理にて、表面には重要文章でない文章がモノクロ印刷で出力され、裏面には裏面反転機能７４１により重要文章がモノクロ印刷の鏡文字で出力される（ステップＳ１０７）。
【００６２】
このようにして、第１実施形態と同様に、暗記シート作成機能により暗記シートとして機能する印刷物が出力される。
【００６３】
以上のように構成したので、第４実施形態によれば、画像形成部１３において、濃度調整機能１３１により記録シートの設定（厚さ、色合い）に応じて裏面に形成される出力画像の濃度、文字、線の太さが自動調整されるので、裏面に形成される重要文章の視認性を良好にすることができる。
【００６４】
なお、上述した実施形態においては、画像読み取り部１１により読み込まれた原稿Ｇ１の画像データのうちから特定の要件を有する特定画像データ（重要文章）を判定して抽出するようにしているが、例えば、既存の原稿に対してマーカー等により特定の要件を加えて重要文章等とを特定した場合でも、その原稿を読み込んだ際に、マーカー等の加筆部分を特定の要件として特定画像データを判定するようにしてもよい。
【００６５】
また上述した実施形態では、画像形成装置における暗記シート作成機能は、画像データを出力して使用されているが、画像形成装置に備える記憶部に、画像データ編集部で編集された重要文章の画像データと重要文章以外の画像データを保存するとともに、出力方式設定部において設定された出力方式に対応した画像データを保存するようにしてもよい。
【００６６】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００６７】
１１  画像読み取り部
１３  画像形成部
１５  画像出力部
１６，２６，３６  制御部
１７，２７，３７  暗記シート作成部
１００，２００，３００，４００  画像形成装置
１３１  濃度調整機能
１７１  判定部
１７２  抽出部
１７３  画像データ編集部
１７４，２７４，３７４  出力方式設定部
７４１  裏面反転機能
７４２  ２枚重ね印刷機能
７４３  集約印刷機能
ｇ０１  モノクロ文字
ｇ０２  カラー文字
Ｇ１  原稿
ｇ１１，ｇ２１，ｇ２２，ｇ３１，ｇ３２  出力画像
ｇ２３  空白
Ｐ１，Ｐ２１，Ｐ２２，Ｐ３，Ｐ３０１，Ｐ３０２  記録シート（記録媒体）
Ｐ１ａ，Ｐ２１ａ，Ｐ２２ａ，Ｐ３ａ  表面
Ｐ１ｂ  裏面
Ｐ３１  第１の画像形成領域
Ｐ３２  第２の画像形成領域
【図１】
0006598665.tif 000002
【図２】
0006598665.tif 000003
【図３】
0006598665.tif 000004
【図４】
0006598665.tif 000005
【図５】
0006598665.tif 000006
【図６】
0006598665.tif 000007
【図７】
0006598665.tif 000008
【図８】
0006598665.tif 000009
【図９】
0006598665.tif 000010
【図１０】
0006598665.tif 000011
【図１１】
0006598665.tif 000012
【図１２】
0006598665.tif 000013
【図１３】
0006598665.tif 000014